(57)【特許請求の範囲】
【請求項１】
障子を任意の位置で保持させるスパイラルバランサを備えた上げ下げ窓において、
窓枠の上枠、障子の上框には、それぞれ戸当たり部が形成されており、
窓枠の上枠の戸当たり部は、窓枠側戸当たり面と、窓枠側戸当たり面から上方に延出する室外側見付け面と、を備えており、
障子の上框の戸当たり部は、障子側戸当たり面と、障子側戸当たり面から上方に延出する立ち上がり辺と、を備えており、
前記障子が上側に移動して前記窓枠側戸当たり面と前記障子側戸当たり面が当接した時には、前記障子の立ち上がり片が前記窓枠の室外側見付け面の室外側に位置するようになっており、
前記障子の立ち上がり片の室内側の面部、前記窓枠の前記室外側見付け面のいずれか一方に係止突部を、他方に係止受部を設け、前記障子を上側に移動させると、前記障子の立ち上がり片の室内側の面部が前記窓枠の室外側見付け面に摺接しながら上昇し、前記窓枠側・障子側戸当たり面同士が当接した時に、前記係止突部が前記係止受部に係止するように構成されており、係止突部と係止受部の係止状態において、前記障子の立ち上がり片が前記窓枠の室外側見付け面の室外側に位置しており、係止突部と係止受部が係止状態にある障子を室内側から下動させる時に、障子が遊びの範囲内で係止状態の解除方向に僅かに移動して係止状態が解除される、
上げ下げ窓。
【請求項２】
前記障子は、それぞれ上下動可能な室外側の障子と室内側の障子であり、
前記窓枠の上枠には1つの戸当たり部材が設けてあり、当該１つの戸当たり部材は、室外側の障子に対応する窓枠側戸当たり面及び室外側見付け面、室内側の障子に対応する窓枠側戸当たり面及び室外側見付け面、を備えている、請求項１に記載の上げ下げ窓。
【発明の詳細な説明】
【技術分野】
【０００１】
本発明は、障子下がり防止機構を備えた上げ下げ窓に関するものである。
【背景技術】
【０００２】
上げ下げ窓は、窓枠と、該窓枠に対して上下動可能な二枚の窓障子とから構成されている。上げ下げ窓では、手動で窓障子を上側に移動させた状態で窓を開口するが、上側に移動させた窓障子が手を離しても落下しないようにするために、スパイラルバランサが設けられ、スパイラルバランサの張力を窓障子の荷重とバランスさせるようにしている。スパイルラルバランサを設けた上げ下げ窓については、特許文献１、特許文献２に記載されている。
【０００３】
しかしながら、スパイラルバランサを設けた上げ下げ窓においては、次に述べるような問題点がある。
（ア）スパイラルバランサの張力は、内蔵されたスプリングの巻き数を変えることで調整できるが、スパイラルバランサはストロークが小さいと張力も小さくなる傾向にあるため、ストロークが小さい位置で張力調整を行うと、ストロークが大きくなった時に張力が過大となって、窓障子の開閉操作が重くなってしまう。
（イ）スパイルラルバランサはスプリングを構成要素としているため、経年劣化によるバネの張力の低減、バネの厚さ公差による張力のばらつき等によって、障子下がりが発生してしまう。
（ウ）窓開口部の全閉時に上側の障子が下がってしまうと、上げ下げ窓の施錠がやり難くなる。
【特許文献１】特公平７−３０６５１号
【特許文献２】特開２００２−２１４３４号
【発明の開示】
【発明が解決しようとする課題】
【０００４】
本発明は、障子の開閉操作を重くすることなく、スプリングの張力が低下した場合であっても障子が下がることを防止することを目的とするものである。
【課題を解決するための手段】
【０００５】
かかる課題を達成するために本発明が採用した上げ下げ窓は、
障子を任意の位置で保持させるスパイラルバランサを備えた上げ下げ窓において、
窓枠の上枠、障子の上框には、それぞれ戸当たり部が形成されており、
窓枠の上枠の戸当たり部は、窓枠側戸当たり面と、窓枠側戸当たり面から上方に延出する室外側見付け面と、を備えており、
障子の上框の戸当たり部は、障子側戸当たり面と、障子側戸当たり面から上方に延出する立ち上がり辺と、を備えており、
前記障子が上側に移動して前記窓枠側戸当たり面と前記障子側戸当たり面が当接した時には、前記障子の立ち上がり片が前記窓枠の室外側見付け面の室外側に位置するようになっており、
前記障子の立ち上がり片の室内側の面部、前記窓枠の前記室外側見付け面のいずれか一方に係止突部を、他方に係止受部を設け、前記障子を上側に移動させると、前記障子の立ち上がり片の室内側の面部が前記窓枠の室外側見付け面に摺接しながら上昇し、前記窓枠側・障子側戸当たり面同士が当接した時に、前記係止突部が前記係止受部に係止するように構成されており、係止突部と係止受部の係止状態において、前記障子の立ち上がり片が前記窓枠の室外側見付け面の室外側に位置しており、係止突部と係止受部が係止状態にある障子を室内側から下動させる時に、障子が遊びの範囲内で係止状態の解除方向に僅かに移動して係止状態が解除される。
【０００６】
戸当たり部は、上枠、障子と別体の戸当たり部材であっても、上枠、障子に一体形成されたものであってもよい。通常、上げ下げ窓は室外側の障子と室内側の障子とを有するが、本発明は、両方の障子が上下動するもののみならず、一方の障子のみが上下動するものにも適用可能である。後述する実施形態では、戸当たり部材は、窓枠の上枠の下側に装着された戸当たり部材と障子の上框の上面に装着された戸当たり部材であり、両方の障子が上下動可能であり、障子側の戸当たり部材に係止突部が形成され、上枠側の戸当たり部材に係止受部が形成されている。
【発明の効果】
【０００８】
上げ下げ窓に、障子下がり防止機構を付加することで、経年劣化によるバネの張力の低減、バネの厚さ公差による張力のばらつき等が生じても、障子下がりが発生することを防止することができる。また、スプリングの張力設定を小さくすることが可能となり、開閉操作が重くなることも改善される。
【０００９】
障子を手動で下動させる場合には、障子が遊びの範囲内で内外方向に僅かに揺れるので、より軽い力で係止状態を解除することができる。
【発明を実施するための最良の形態】
【００１０】
図１は、上げ下げ窓の全体正面図であって、縦長方形状の窓枠１に対して、二枚の窓障子２，３が上下動可能に取り付けられている。窓枠１は、上枠１ａ、左右の縦枠１ｂ，１ｂ、下枠１ｃとから構成されたアルミサッシ枠である。室外側の窓障子２は、方形状のガラスパネル２０と、パネル２０の四周に装着された上框２１、左右の竪框２２，２２、下框２３とからなる。同様に、室内側の窓障子３は、方形状のガラスパネル３０と、パネル３０の四周に装着された上框３１、左右の竪框３２，３２、下框３３とからなる。左右の縦枠１ｂ，１ｂには、外側に位置して案内溝１ｄが、内側に位置して案内溝１ｅが、それぞれ形成されており、窓障子２，３のそれぞれの竪框２２，３２を上下方向に案内するようになっている。ここで、障子２、３は左右の縦枠１ｂ，１ｂに対して上下方向に移動可能であることから、障子２、３は本来的に少なくとも上下方向に移動を許容する程度の遊びを有している。したがって、障子２、３は窓枠１に装着された状態で、左右方向、内外方向に遊びを有しており、当該遊びの範囲内で障子２、３は左右方向、内外方向に僅かに動くことができる。本明細書において、「障子の遊び」はこのようなことを意味するものとして用いられる。
【００１１】
縦枠１ｂ内には、各障子２、３の左右にそれぞれ位置して、スパイラルバランサ４が設けてある。スパイラルバランサ４は、上げ下げ窓において、障子２，３をストローク内の任意の位置で保持させるための部材である。スパイラルバランサ４の上端側は窓枠１に対して固定され、下端側は障子２，３の下框２３，３３に取り付けられたピボットシュー５を介して障子２，３に取り付けられる。１つの実施形態では、スパイラルバランサ４の上端側は、後述する戸当たり部材６に部位Ｐにおいて固定される。
【００１２】
スパイラルバランサ４は、パイプ４０、スプリング４１、螺旋状に捩られたスパイラルロッド４２、カプリング４３、エンドキャップ４４、ジョイント４５、ワッシャー４６、抜け止め４７、熱収縮チューブ４８から構成されている。スパイラルロッド４２とカプリング４３はウォームギアとウォームホイールの関係と同様に機能し、障子２，３の重量でスパイラルロッド４２が引き出されると、カプリング４３が回転するようになっている。カプリング４３にはスプリング４１が取り付けられており、カプリング４３の回転によりスプリング４１による捩り力が発生するとともに、スパイラルロッド４２とカプリング４３の噛合い部自体が摩擦力を発生させることで、障子２，３の重量を支える。ピボットシュー５には、スパイラルバランサ４の張力をドライバで調整する機構が設けてある。当該調整機構は、ワンウェイクラッチ方式となっており、巻き上げ方向のみ回転する。調整機構を備えたスパイラルバランサ４は当業者においては既知であって、調整機構を含むスパイラルバランサ４の構成については、特許文献１，２に記載の構成を参照することができる。
【００１３】
窓枠１の上枠１ａの左右両端部、障子２の上框２１の左右両端部、障子３の上框３１の左右両端部には、それぞれ、戸当たり部材６、戸当たり部材７，８が設けてあり、障子２，３を上側に移動させた時には、障子２，３の上框２１，３１の上側に設けた戸当たり部材７，８が窓枠１の上枠１ａの下側に設けた戸当たり部材６に当接するようになっている。窓枠１の下枠１ｃの左右両端部には、室外側に位置して戸当たり部材９が設けてある。図４左図は、二枚の障子２，３を上側に移動させた状態を示す縦断面図であり、障子２，３の上框２１，３１に設けた戸当たり部材７，８が上枠１ａ側に設けた戸当たり部材６に当接している。図４右図は、二枚の障子２，３を下側に移動させた状態を示す縦断面図であり、障子２，３の下框２３，３３の下端が下枠１ｃの室外側部位に設けた戸当たり部９、下枠１ｃの室内側部位にそれぞれ当接している。
【００１４】
窓枠１の上枠１ａに設けた戸当たり部材６には、異なる高さ位置において水平状に延出する戸当たり面６０，６１が形成されており、一部材で障子２，３の上框２１，３１の上側に設けた戸当たり部材７，８が当接する戸当たり面６０，６１を提供している。室外側の戸当たり面６０は室内側の戸当たり面６１よりも上側の高さに位置している。戸当たり部材６は、各戸当たり面６０，６１の室外側端部から上方に延出する室外側見付け面６２，６３を備えている。室外側見付け面６２，６３の所定部位には、係止受部６４，６５がそれぞれ形成されている。具体的には、戸当たり部材６は、水平方向に延出する第１部分６Ａと、第１部分６Ａの室内側部位から下方に向かって垂直方向に延出する第２部分６Ｂと、からなる。第１部分６Ａの下端面、第２部分６Ｂの下端面が、それぞれ戸当たり面６０，６１を構成しており、第１部分６Ａの室外側見付け面、第２部分６Ｂの室外側見付け面が、それぞれ室外側見付け面６２，６３を構成している。
【００１５】
障子２の上框２１の上面に設けた戸当たり部材７は、水平状部７Ａと水平状部７Ａの室外側端部から上方に延出する立ち上がり部７Ｂとを有している。水平状部７Ａの上面が戸当たり面７０を構成している。立ち上がり部７Ｂの室内側の面部７２の所定部位には、戸当たり面７０が戸当たり部材６の戸当たり面６０に当接した時に、戸当たり部材６の室外側見付け面６２に形成された係止受部６４に係止する係止突部７１が形成されている。
【００１６】
障子３の上框３１の上面に設けた戸当たり部材８は、水平状部８Ａと水平状部８Ａの室外側端部から上方に延出する立ち上がり部８Ｂとを有している。水平状部８Ａの上面が戸当たり面８０を構成している。立ち上がり部８Ｂの室内側の面部８２の所定部位には、戸当たり面８０が戸当たり部材６の戸当たり面６１に当接した時に、戸当たり部材６の室外側見付け面６３に形成された係止受部６５に係止する係止突部８１が形成されている。
【００１７】
戸当たり部材６の室外側の室外側見付け面６２と障子２の上框２１に装着された戸当たり部材７の立ち上がり片７Ｂの室内側の面部７２は略同一鉛直線状に位置しており、室外側の障子２が上側に持ち上げられると、立ち上がり片７Ｂの室内側の面部７２は室外側見付け面６２に摺接しながら上昇し、戸当たり面６０，７０同士が当接すると、立ち上がり片７Ｂに形成された係止突部７１が、障子２の遊びによって、室外側見付け面６２に形成された係止受部６４に係止する。図示の形態では、上枠１ａの室外側の見付け片１ａ´の室内側面部と戸当たり部材６の室外側の見付け面６２との間には、間隙が形成されており、室外側の障子２が上側に持ち上げられると、障子２の上框２１に装着された戸当たり部材７の立ち上がり片７Ｂが当該間隙に進入して、戸当たり面６０，７０同士が当接する。
【００１８】
同様に、戸当たり部材６の室外側の見付け面６３と障子３の上框３０に装着された戸当たり部材８の立ち上がり片８Ｂの室内側の面部８２は略同一鉛直線状に位置しており、室内側の障子３が上側に持ち上げられると、立ち上がり片８Ｂの室内側の面部は室外側見付け面６３に摺接しながら上昇し、戸当たり面６１，８０同士が当接すると、立ち上がり片８Ｂに形成された係止突部８１が、障子３の遊びによって、室外側見付け面６３に形成された係止受部６５に係止する。
【００１９】
このように、戸当たり部材６に形成した係止受部６４，６５、戸当たり部材７に形成した係止突部７１、戸当たり部材８に形成した係止突部８１が、上側に移動された障子２，３が下がることを防止する障子下がり防止機構を構成する。上側に移動された障子２，３はスパイラルバランサ４によって位置が保たれることに加えて、当該障子下がり防止機構によって補助的に支持される。したがって、当該障子下がり防止機構を付加することで、スパイラルバランサ４のスプリング４１の張力設定を小さくすることが可能となり、障子の開閉操作が重くなることも無い。また、戸当たり部材６の室外側の見付け面６２、６３に形成した係止受部６４、６５、戸当たり部材７の立ち上がり片７Ｂの室内側の面部７２に形成した係止突部７１、戸当たり部材８の立ち上がり片８Ｂの室内側の面部８２に形成した係止突部８１がそれぞれ係止状態にある障子２、３を室内側から降ろす場合には、取手を持って障子２、３を室外側に僅かに押すようにして行うことが自然な操作であり、したがって、通常の操作によって、障子２、３が係止状態の解除方向に僅かに移動するため、意識すること無く係止状態が外れて障子２、３を降ろすことができる。一方、室外側から障子２、３を室内側に僅かに押すようにして障子２，３を降ろそうとすると係止状態が維持される方向に力が作用するため、防犯性能上も良好である。
【産業上の利用可能性】
【００２０】
本発明は、上げ下げ窓に利用することができる。
【図面の簡単な説明】
【００２１】
【図１】上げ下げ窓を室内側から見た正面図である。
【図２】上げ下げ窓の縦断面図であり、左側が室外側、右側が室内側である。
【図３】上げ下げ窓の横断面図であり、上側が室外側、下側が室内側である。。
【図４】左図は、二枚の障子を上側に移動させた状態を示す縦断面図であり、右図は、二枚の障子を下側に移動させた状態を示す縦断面図である。
【図５】上げ下げ窓における障子の上下のストロークを示す図である。
【図６】スパイラルバランサの説明図である。
【図７】上げ下げ窓の要部を示す縦断面図である。
【図８】図７のＸ部の拡大図である。
【図９】上枠に装着された戸当たり部材の部品図である。
【図１０】室外側の障子の上框に装着された戸当たり部材の部品図である。
【図１１】室内側の障子の上框に装着された戸当たり部材の部品図である。
【符号の説明】
【００２２】
１  窓枠
１ａ  上枠
２  室外側の障子
２１  上框
３  室内側の障子
３１  上框
４  スパイラルバランサ
５  ピボットシュー
６  戸当たり部材
６０  戸当たり面
６１  戸当たり面
６２  見付け面
６３  見付け面
６４  係止受部
６５  係止受部
７  戸当たり部材
７０  戸当たり面
７１  係止突部
８  戸当たり部材
８０  戸当たり面
８１  係止突部
【図１】
0004791224.tif 000002
【図２】
0004791224.tif 000003
【図３】
0004791224.tif 000004
【図４】
0004791224.tif 000005
【図５】
0004791224.tif 000006
【図６】
0004791224.tif 000007
【図７】
0004791224.tif 000008
【図８】
0004791224.tif 000009
【図９】
0004791224.tif 000010
【図１０】
0004791224.tif 000011
【図１１】
0004791224.tif 000012